(57)【要約】      （修正有）【課題】人間が座ると同時に背中と背もたれとを密着させることが可能な椅子の座部ガイド装置を提供する。【解決手段】ベース２０は両端に座部４０をガイドするガイド部２２を有する。ガイド部２２にはベース２０の後端から座面４２の方向に延びながら前端に向かうように円弧形状に形成されるガイド溝２４を有する。弾性部３０のねじりばね３６は、固定軸３２に回転可能に支持され、移動板３４の底面に当接する二つの当接端が形成されている。フレームの底面の後端は二つのガイド溝２４に係止された差込栓を介してベース２０のガイド部２２に連結する二つの接続部を有する。これにより、人間が座面４２に座ると、座部４０は固定軸３２を中心としてベース２０のガイド溝２４に沿って移動し、人間の背中が背もたれに密着するまで自動的にガイドする。【選択図】図２
0003177652.tif 000002
【実用新案登録請求の範囲】
【請求項１】
座面、及び前記座面の底面に設けられるフレームを有する座部と、
両端にそれぞれ前記座部をガイドするガイド部を有するベースと、
前記ベースの前記両端と異なる一端に固定される固定軸、前記固定軸を中心として回転可能に設けられる移動板、及び前記固定軸に回転可能に支持され前記移動板の底面に当接する二つの当接端が形成されているねじりばねを有する弾性部と、
を含み、
前記ガイド部は、前記ベースの他端から前記座面の方向に延びながら前記ベースの一端に向かうように円弧形状に形成されるガイド溝をそれぞれ有し、
前記フレームの底面の前記一端側は前記移動板に接続し、前記フレームの底面の他端側は二つの前記ガイド溝に係止された差込栓を介し前記ベースの前記ガイド部に連結する二つの接続部を有し、前記座部が前記固定軸を中心として前記ベースのガイド溝に沿って回転することを特徴とする椅子の座部ガイド装置。
【請求項２】
前記座部のフレームは、第１固定板、及び第２固定板を有し、
前記第１固定板の上面に前記座部が接続し、前記第１固定板の底面に前記第２固定板の上面が接続し、前記第２固定板の底面に前記移動板の上面が接続することを特徴とする請求項１に記載の椅子の座部ガイド装置。
【請求項３】
スイング部材、調整スクリュー、ノブ、及び押圧ブロックを有する弾力調整部を更に有し、
前記スイング部材は前記ベースに回転可能に設けられ前記ねじりばねに形成されるＵ字型延伸段に当接する頂部を有し、前記調整スクリューは前記ベースに対して回転可能に設けられるとともに前記スイング部材に形成されているレール溝に嵌合し、前記ノブは前記調整スクリューの一端に接続され、前記押圧ブロックは前記スイング部材の上方に位置し前記調整スクリューに係止され、前記調整スクリューの回転により前記スイング部材を押圧することを特徴とする請求項１に記載の椅子の座部ガイド装置。
【請求項４】
前記ベースの上面に二つのスリット溝を有し、前記ねじりばねの当接端が前記スリット溝を介して突出することを特徴とする請求項１に記載の椅子の座部ガイド装置。
【考案の詳細な説明】
【技術分野】
【０００１】
本考案は、椅子に関し、特に椅子の座部ガイド装置に関する。
【背景技術】
【０００２】
一般の椅子の座部は、固定され移動不能である。人間が座部に座ると、背中を適切にもたれることができるように背中が背もたれに当接するまで絶えず臀部の位置を移動させなければならない。しかし、常に座る姿勢が変わるので、背中と背もたれとが適切に相互に接触しなくなることがしばしば起こる。この場合、座り心地が悪くなるばかりか、長時間座ることにより次第に背骨に悪影響を与える。
【考案の概要】
【考案が解決しようとする課題】
【０００３】
一部の椅子は、座り心地を向上させるために、座部の位置又は背もたれの角度を調整できるように設計されているが、しかし、人間が座ると同時に背中と背もたれとを密着させることはできない。よって、従来の椅子の設計には更に改善の余地があった。
【課題を解決するための手段】
【０００４】
本考案の目的は、人間が座ると同時に背中と背もたれとを密着させることが可能な椅子の座部ガイド装置を提供することである。
【０００５】
本考案の椅子の座部ガイド装置は、座部、ベース、及び弾性部を含む。座部は、座面、及び座面の底面に設けられるフレームを有する。ベースは両端にそれぞれ座部をガイドするガイド部を有し、ガイド部にはベースの他端から座面の方向に延びながら一端に向かう円弧形状に形成されるガイド溝を有する。弾性部は、固定軸、移動板、及びねじりばねを有し、固定軸は、ベースの両端とは異なる一端に固定される。移動板は、固定軸を中心として回転可能に設けられる。ねじりばねは、固定軸に回転可能に支持され、移動板の底面に当接する二つの当接端が形成されている。フレームの底面の一端側は、移動板に接続し、フレームの底面の他端側は二つのガイド溝に係止された差込栓を介してベースのガイド部に連結する二つの接続部を有する。これにより、人間が座面に座ると、座部は移動板の動作により固定軸を中心としてベースのガイド溝に沿って移動し、人間の背中が背もたれに密着するまで自動的にガイドする。このようにして、人間の背中に良好な快適性と支持性を得ることができる。
【０００６】
また、異なる人間の体重に合わせるために、本考案の椅子の座部ガイド装置は、ねじりばねの捻れを調整する弾力調整部を備える。弾力調整部は、スイング部材、調整スクリュー、ノブ、及び押圧ブロックを有し、スイング部材はベースに回転可能に設けられ、ねじりばねに当接する頂部を有する。調整スクリューは、前記ベースに対して回転可能に設けられるとともにスイング部材に形成されているレール溝に嵌合する。ノブは調整スクリューの一端に接続される。押圧ブロックは調整スクリューに係止され、調整スクリューの回転によりスイング部材を押圧する。押圧ブロックがスイング部材を押圧するとき、スイング部材は、頂部がねじりばねのＵ字形延伸段を押し上げてねじりばねを締める。
【図面の簡単な説明】
【０００７】
【図１】本考案の一実施例による椅子の座部ガイド装置を備える椅子の斜視図である。
【図２】本考案の一実施例による椅子の座部ガイド装置の分解斜視図である。
【図３】本考案の一実施例による椅子の座部ガイド装置のベース、及び弾性部の分解斜視図である。
【図４】本考案の一実施例による椅子の座部ガイド装置の側面断面図である。
【図５】本考案の一実施例による椅子の座部ガイド装置の使用時の側面断面図である。
【図６】本考案の一実施例による椅子の座部ガイド装置の弾性調整部の断面図である。
【図７】本考案の一実施例による椅子の座部ガイド装置の弾性調整部の断面図であって、図６と異なる断面図である。
【考案を実施するための形態】
【０００８】
以下において、本考案にかかる椅子の座部ガイド装置の構造及び機能を図面に基づいて詳細に説明する。
【０００９】
（一実施例）
図１と図２は、本考案の一実施例による座部ガイド装置１２を備える椅子１０であり、ベース２０、弾性部３０、及び座部４０を含む。
【００１０】
ベース２０の後端は、背もたれ１４と接続し、ベース２０の左右両側にはそれぞれ肘掛１６が接続する。ベース２０の肘掛１６に対応する位置にガイド部２２が設けられ、ガイド部２２はベース２０の後端から座面４２の方向に延びながらベース２０の前端に向かうように円弧形状を形成している。また、ガイド部２２のそれぞれは、ガイド溝２４を有する。ベース２０の前端の上面に二つのスリット溝２６が形成されている。
【００１１】
弾性部３０は、固定軸３２、移動板３４、及びねじりばね３６を有する。固定軸３２は、両端がベース２０の前端に固定される。移動板３４は固定軸３２に対して回転可能に設けられる。ねじりばね３６は、固定軸３２に回転可能に支持され、二つの当接端３６２及びＵ字型延伸段３６４を有する。二つの当接端３６２は、ベース２０のスリット溝２６から突出し移動板３４の底面に当接する。ねじりばね３６は、移動板３４を初期状態に戻すように付勢する。ここで「初期状態」とは、座面４２に人間が座っていないときの状態を指す。
【００１２】
図４に示すように、座部４０は、座面４２及びフレーム４４を有する。フレーム４４は、第１固定板４６、第２固定板４８を有する。第１固定板４６の上面に座面４２が接続し、第１固定板４６の底面の前端に第２固定板４８の上面が接続する。第２固定板４８の底面は移動板３４の上面に接続する。第１固定板４６の底面の後端は二つの接続部４６２を有する。二つの接続部４６２は二つのガイド溝２４それぞれに差込栓４６４を介してベース２０の各ガイド部２２と連結する。
【００１３】
次に座部ガイド装置１２の作動及び特徴について説明する。
【００１４】
図４及び図５に示すように、人間が座面４２に座ると、座部４０は人間の体重により移動板３４をベース２０の方向へ回転する。このとき、差込栓４６４が連動してベース２０のガイド溝２４に沿って下向きに移動するため、座部４０全体が固定軸３２を中心として背もたれ１４を円弧状に下向きに移動する。差込栓４６４がガイド溝２４の底端に移動するまで、人間の背中が背もたれ１４の方向へ自動的にガイドされ、人間の背中が背もたれ１４に当接する。このようにして、良好な座り心地と背中の支持性が得られる。人間が立ち上がると、座部４０はねじりばね３６の弾力作用により図４に示される位置に戻る。
【００１５】
また、異なる人間の体重に合わせるためにねじりばね３６の捻れを調整する弾力調整部５０を有する。図６に示すように、弾力調整部５０は、スイング部材５２、調整スクリュー５４、ノブ５６、及び押圧ブロック５８を有する。スイング部材５２はベース２０に回転可能に設けられ、シーソーに類似する構造を形成する。スイング部材５２の頂部５２２は、ねじりばね３６のＵ字型延伸段３６４に当接する。調整スクリュー５４は、ベース２０に対して回転可能に設けられるとともにスイング部材５２のレール溝５２４に嵌合する。ノブ５６は、調整スクリュー５４の底端に接続され、ベース２０の底面に当接し、外力を受けて調整スクリュー５４を回転させる。押圧ブロック５８は、スイング部材５２の上方に位置し、調整スクリュー５４に係止され、調整スクリュー５４の回転によりスイング部材５２を押圧する。
【００１６】
ノブ５６を回転すると、押圧ブロック５８が調整スクリュー５４の回転を受けてスイング部材５２に対応して上下に移動する。スイング部材５２のレール溝５２４側の一端を押し下げると、スイング部材５２は、頂部５２２がねじりばね３６を上向きに押し上げる。これにより、ねじりばね３６は締め付けられ、座部４０が受ける抵抗が増加する。一方、図６及び図７に示すように、押圧ブロック５８がスイング部材５２から遠ざかると、スイング部材５２はねじりばね３６の付勢力を受けて、座部４０が受ける抵抗を低下させる。
【００１７】
本考案において上述した実施例に開示された構成部材は、説明のために例を挙げたに過ぎず、本考案の範囲を制限するものではない。他の等価素子による置換又は変更もまた本考案の範囲に含まれる。
【符号の説明】
【００１８】
１０    ・・・椅子、
１２    ・・・座部ガイド装置、
１４    ・・・背もたれ、
１６    ・・・肘掛、
２０    ・・・ベース、
２２    ・・・ガイド部、
２４    ・・・ガイド溝、
２６    ・・・スリット溝、
３０    ・・・弾性部、
３２    ・・・固定軸、
３４    ・・・移動板、
３６    ・・・ねじりばね、
３６２  ・・・当接端、
３６４  ・・・Ｕ字型延伸段、
４０    ・・・座部、
４２    ・・・座面、
４４    ・・・フレーム、
４６    ・・・第１固定板、
４６２  ・・・接続部、
４６４  ・・・差込栓、
４８    ・・・第２固定板、
５０    ・・・弾力調整部、
５２    ・・・スイング部材、
５２２  ・・・頂部、
５２４  ・・・レール溝、
５４    ・・・調整スクリュー、
５６    ・・・ノブ、
５８    ・・・押圧ブロック。
【図１】
0003177652.tif 000003
【図２】
0003177652.tif 000004
【図３】
0003177652.tif 000005
【図４】
0003177652.tif 000006
【図５】
0003177652.tif 000007
【図６】
0003177652.tif 000008
【図７】
0003177652.tif 000009